(57)【要約】【課題】出かける直前に、天気に関する注意喚起のための天気に関する情報の提供をすることができるようにする。【解決手段】情報通知システム１は、玄関ドア６に設けられたセンサからの信号の入力を受けることにより、天気情報を取得する。情報通知システム１は、取得した天気情報と通知の際の条件として設定された通知条件との比較に基づきに、玄関ドア６に設けられた通知装置４の動作を決定する。そして、情報通知システム１は、通知装置４に決定した動作をするよう制御信号を送信する。【選択図】図１
2020170890.tif 000002
【特許請求の範囲】
【請求項１】
玄関ドアに設けられたセンサからの信号の入力を受けることにより、天気情報を取得する天気情報取得部と、
前記天気情報と通知のための通知条件との比較に基づきに、前記玄関ドアに設けられた通知装置の動作を決定し、前記通知装置に該動作をするよう制御信号を送信する天気情報送信部と
を備える情報通知システム。
【請求項２】
前記センサからの信号は、前記玄関ドアに設けられた施錠部が該玄関ドアに対応する鍵を検知したことにより出力する信号である
請求項１に記載の情報通知システム。
【請求項３】
前記センサからの信号は、前記玄関ドアに設けられたドアノブまたはハンドルに対する操作を検知するセンサが該操作の検知により出力する信号である
請求項１に記載の情報通知システム。
【請求項４】
前記通知装置はＬＥＤを備えであり、
前記天気情報送信部は、前記比較に基づき、前記ＬＥＤの点滅動作を決定し、該ＬＥＤに該点滅動作をするよう制御する信号を送信する
請求項１から請求項３のいずれか一項に記載の情報通知システム。
【請求項５】
前記情報通知システムは、
前記天気情報を取得する地域に関する情報を記憶する記憶部
をさらに備え、
前記天気情報取得部は、前記地域に関する情報を外部サーバより取得する
請求項１から請求項４のいずれか一項に記載の情報通知システム。
【請求項６】
前記通知装置が表示装置を備える場合、前記天気情報送信部は、前記通知装置に該動作をするよう制御信号として、該表示装置に表示する天気情報を含める
請求項１から請求項５のいずれか一項に記載の情報通知システム。
【請求項７】
玄関ドアに設けられたセンサからの信号の入力を受けることにより、天気情報を取得し、
前記天気情報と通知のための通知条件との比較に基づきに、前記玄関ドアに設けられた通知装置の動作を決定し、前記通知装置に該動作をするよう制御信号を送信する
情報通知方法。
【請求項８】
玄関ドアに設けられたセンサからの信号の入力を受けることにより、天気情報を取得し、
前記天気情報と通知のための通知条件との比較に基づきに、前記玄関ドアに設けられた通知装置の動作を決定し、前記通知装置に該動作をするよう制御信号を送信する
ことをコンピュータに実行させるための情報通知用コンピュータプログラム。
【発明の詳細な説明】
【技術分野】
【０００１】
本発明は、情報通知システム、情報通知方法及び情報通知用コンピュータプログラムに関する。
【背景技術】
【０００２】
外出時、予想される天候によって、移動手段・持ち物・服装を変える必要があり得る。例えば、外出前に天気情報の確認を忘れ、傘を持たずに外出したため、途中で雨が降り困ることがある。そのため、天気情報を通知するための各種システム、装置がある。関連する技術において、照明装置の色調を制御することで、降水予測等の情報を伝えるシステムが特許文献１に開示されている。
【先行技術文献】
【特許文献】
【０００３】
【特許文献１】特開２０１８−１０７６００号公報
【発明の概要】
【発明が解決しようとする課題】
【０００４】
ところで、事前に確認した天気予報が出かける際に変わっている場合もあり、例えば、事前の天気予報確認で傘を持って外出したにもかかわらず、傘を使う必要がない場合もある。さらには、出かける前に天気予報を確認していたとしても、急いでいるとき、または、他のことに気を取られているときには、天気に応じた持物の変更等をつい忘れて出かけてしまうこともある。これまでの関連する技術では、出かける直前に、天気に関する注意喚起のための天気に関する情報の提供をすることができない。そこで本発明は、上述の課題を解決する情報通知システム、情報通知方法及び情報通知用コンピュータプログラムを提供することを目的としている。
【課題を解決するための手段】
【０００５】
本発明の第１の態様によれば、情報通知システムは、玄関ドアに設けられたセンサからの信号の入力を受けることにより、天気情報を取得する天気情報取得部と、前記天気情報と通知のための通知条件との比較に基づきに、前記玄関ドアに設けられた通知装置の動作を決定し、前記通知装置に該動作をするよう制御信号を送信する天気情報送信部と備える、ことを特徴とする。
【０００６】
本発明の第２の態様によれば、情報通知方法は、玄関ドアに設けられたセンサからの信号の入力を受けることにより、天気情報を取得し、前記天気情報と通知のための通知条件との比較に基づきに、前記玄関ドアに設けられた通知装置の動作を決定し、前記通知装置に該動作をするよう制御信号を送信する、ことを特徴とする。
【０００７】
本発明の第３の態様によれば、情報通知用コンピュータプログラムは、玄関ドアに設けられたセンサからの信号の入力を受けることにより、天気情報を取得し、前記天気情報と通知のための通知条件との比較に基づきに、前記玄関ドアに設けられた通知装置の動作を決定し、前記通知装置に該動作をするよう制御信号を送信することをコンピュータに実行させる、ことを特徴とする。
【発明の効果】
【０００８】
これにより、出かける直前に、天気に関する注意喚起のための天気に関する情報の提供をすることができる、という効果が得られる。
【図面の簡単な説明】
【０００９】
【図１】本発明の一実施形態による情報通知システムが用いられる装置構成の概要を示す図である。
【図２】本発明の一実施形態による玄関ドアに設けられる施錠部用の鍵の機能ブロック図である。
【図３】本発明の一実施形態による玄関ドアに設けられる施錠部の機能ブロック図である。
【図４】本発明の一実施形態による玄関ドアに設けられる通知装置の機能ブロック図である。
【図５】本発明の一実施形態による情報通知システムの機能ブロック図である。
【図６】本発明の一実施形態による情報通知システムのハードウェア構成を示す図である。
【図７】本発明の一実施形態による情報通知システムの処理フローを示す図である。
【図８】本発明の一実施形態による情報通知システムの最小構成図を示す図である。
【発明を実施するための形態】
【００１０】
以下、本発明の一実施形態による情報通知システムについて図面を参照して説明する。図１は本発明の一実施形態による情報通知システムが用いられる装置構成の概要を示す図である。図１において、符号１は情報通知システムを、符号２は鍵を、符号３は施錠部を、符号４は通知装置を、符号５はハンドルを、符号６は玄関ドアを示す。また、符号７はローカル・エリア・ネットワーク（LAN）を、符号８はワイド・エリア・ネットワーク（WAN）を、符号９は天気情報サーバを示す。玄関ドア６には、施錠部３、通知装置４、ハンドル５が設けられる。
【００１１】
施錠部３は、一例としてはシリンダ鍵であり、鍵２により施錠、開錠が行われる。鍵２と施錠部３とは、無線信号の送受が可能であり、施錠部３は鍵２が玄関ドア６の所定範囲内にある際、鍵２に割り振られたシリアル番号を鍵２より取得する。また、施錠部３は、鍵２より取得したシリアル番号が記憶する番号と一致する場合に、所定の信号を情報通知システム１に発信する。
【００１２】
通知装置４は、情報通知システム１からの制御信号に基づき、天気に関する情報を玄関ドア６付近にいる、あるいは、玄関ドア６の操作をする人に提供する。
ハンドル５は、玄関ドア６の開閉をするための部分である。
【００１３】
天気情報サーバ９は、地域別、時間帯別の降水確率、最低・最高気温、現在あるいは予想される天候など、天気に関する情報を蓄積、提供するサーバである。
【００１４】
情報通知システム１は、玄関ドア６に設けられた施錠部３からの信号の入力を受けることにより、天気情報サーバ９より天気に関する情報である天気情報を取得する。また、情報通知システム１は、取得した天気情報と、天気に関する情報の通知のための通知条件との比較に基づきに、玄関ドア６に設けられた通知装置４の動作を決定し、通知装置４に決定した動作をするよう制御信号を送信する。
【００１５】
ＬＡＮ７は、宅内の有線あるいは無線のネットワークであり、かつ、外部のネットワークとなるＷＡＮ８との接続機器も備える。ＷＡＮ８は外部のネットワークであり、インターネット等である。
【００１６】
情報通知システム１と、玄関ドア６の施錠部３および通知装置４とは、ＬＡＮ７を介して相互に無線または有線接続される。あるいは、情報通知システム１と、玄関ドア６の施錠部３および通知装置４とは、BLUETOOTH(登録商標)等の近距離無線技術を利用して、ＬＡＮ７を介さずに直接的に無線接続されてもよい。
天気情報サーバ９は、ＷＡＮ８に接続される。情報通知システム１と天気情報サーバ９とは、ＬＡＮ７、ＷＡＮ８を介して相互に接続される。
【００１７】
図２は、本発明の一実施形態による玄関ドア６に設けられる施錠部３用の鍵２の機能ブロック図である。鍵２は、電源回路２１、シリアル番号記憶部２２、ＬＦ信号受信部２３、ＲＦ信号送信部２４を備える。
【００１８】
電源回路２１は、シリアル番号記憶部２２、ＬＦ信号受信部２３の動作のための電力を供給する回路であり、バッテリ、例えばボタン電池を含む。
シリアル番号記憶部２２は、鍵２に割り振られた鍵２のシリアル番号を記憶する。
【００１９】
ＬＦ信号受信部２３は、別途説明する施錠部３から送信されるＬＦ(Low Frequency)信号の有無を検知する。
ＲＦ信号送信部２４は、ＬＦ信号受信部２３にて施錠部３から送信されるＬＦ信号を検知すると、ＲＦ(Radio Frequency)信号を送信する。ＲＦ信号送信部２４は、この際、シリアル番号記憶部２２に記憶されるシリアル番号を読み取り、送信するＲＦ信号送信にエンコードしたシリアル番号の情報を含めて、ＲＦ信号の送信を行う。
【００２０】
図３は、本発明の一実施形態による玄関ドア６に設けられる施錠部３の機能ブロック図である。施錠部３は、ＬＦ信号送信部３１、ＲＦ信号受信部３２、鍵検出部３３、信号出力部３４、記憶部３５を備える。記憶部３５は、予め登録された玄関ドア６用の鍵のシリアル番号を１つまたは複数、記憶する。
【００２１】
ＬＦ信号送信部３１は、一定間隔毎にＬＦ信号を施錠部３の所定の近傍範囲にて届くよう送信する。ＬＦ信号送信部３１からのＬＦ信号を受信可能な玄関ドア６の付近に鍵２が存在する場合、鍵２のＬＦ信号受信部２３は施錠部３のＬＦ信号送信部３１からのＬＦ信号を検知する。そして、鍵２のＲＦ信号送信部２４は鍵２のシリアル番号に関する情報を重畳したＲＦ信号を送信する。
【００２２】
ＲＦ信号受信部３２は、鍵２が近くに存在する場合、鍵２の応答によるＲＦ信号を受信する。
鍵検出部３３は、ＲＦ信号受信部３２が検知したＲＦ信号をデコードし、ＲＦ信号に重畳されたシリアル番号を取得する。鍵検出部３３は、取得したシリアル番号と記憶部３５に記憶されるシリアル番号を比較することで、ＲＦ信号を送信した鍵２が予め登録された鍵かを確認する処理を行う。
信号出力部３４は、鍵検出部３３で登録された鍵２の検出がなされると、天気に関する情報取得ための信号を、情報通知システム１に対して出力する。
【００２３】
図４は、本発明の一実施形態による玄関ドア６に設けられる通知装置４の機能ブロック図である。通知装置４は、制御信号受信部４１と通知部４２とを備える。
制御信号受信部４１は、後ほど説明する情報通知システム１からの制御信号を受信するとともに、受信した制御信号に基づき、通知部４２の制御を行う。
通知部４２は、ＬＥＤ（Light Emitting Diode）等のランプであり、制御信号受信部４１の制御のもと、発光パターンや発光色の変更を伴う発光をする。
通知装置４は、外部または内部の電源より電力の供給を受けて動作する。
なお、制御信号受信部４１は、情報通知システム１からの制御信号に基づき、通知部４２の制御を所定時間行った後、通知部４２に対する制御を終了する。
【００２４】
図５は、本発明の一実施形態による情報通知システム１の機能ブロック図である。情報通知システム１は、信号受信部１１、天気情報取得部１２、天気情報送信部１３、記憶部１４を備える。
記憶部１４は、設定情報１５、通知条件情報１６を記憶し、さらに、天気情報１７を記憶する記憶エリアを備える。
設定情報１５は、天気情報を取得する対象となる天気情報サーバ９にアクセスするための情報や、天気情報を取得する地域等の情報を含む。
通知条件情報１６は、降水確率の閾値、予想最高気温の閾値、予想最低気温の閾値等の天気情報を評価するための情報、および、閾値等を用いた比較結果に応じた通知装置４の動作などの情報を含む。例えば、通知装置４の通知部４２が、ＬＥＤなどランプの場合を例にする。この場合、閾値との比較結果に基づく通知装置４の動作として、降水確率が閾値を超えた場合には赤い点滅動作、超えない場合は緑の点灯などといった各閾値との比較結果に応じた通知部４２の動作設定が通知条件情報１６になされている。
天気情報１７は、天気情報サーバ９から直近で取得した天気情報である。
【００２５】
信号受信部１１は、施錠部３からの天気に関する情報の要求信号の有無の検出する処理を行う。
天気情報取得部１２は、信号受信部１１が施錠部３からの信号を検出することにより、設定情報１５を参照し、天気情報サーバ９より必要となる天気情報を取得する処理を行う。
天気情報送信部１３は、天気情報取得部１２が取得した天気情報と、通知条件情報１６に設定された閾値との比較に基づき、玄関ドア６に設けられた通知装置４の動作を決定する処理を行う。さらに、天気情報送信部１３は、決定した動作をするよう制御信号を通知装置４に送信する。なお、天気情報送信部１３は、通知装置４の動作を決定する際、閾値との比較結果に基づく通知装置４の動作に関する設定情報を参照する。
【００２６】
図６は本発明の一実施形態による情報通知システム１のハードウェア構成を示す図である。情報通知システム１は、ＣＰＵ（Central Processing Unit）６１、ＲＯＭ（Read Only Memory）６２、ＲＡＭ（Random Access Memory）６３、ＨＤＤ（Hard Disk Drive）６４、入出力装置６５、通信モジュール６６を備える。
ＣＰＵ６１は、ＲＯＭ６２またはＨＤＤ６４等の記録媒体に記憶されるプログラムを実行することで、情報通知システム１の各機能を実現する。
ＨＤＤ６４には、情報通知システム１の機能を実現するため必要となるデータ等も記憶する。
【００２７】
入出力装置６５は、キーボード、マウス、タッチパネル、表示装置等の機器である。
通信モジュール６６は、ＬＡＮ７へ接続して通信の制御を行う、あるいは、BLUETOOTH(登録商標)等の近距離無線通信規格に沿った通信制御を行うモジュールである。また、通信モジュールＬＡＮ７、ＷＡＮ８を介して天気情報サーバ９から必要な天気情報を取得する際の通信制御においても使用される。
【００２８】
図７は、本発明の一実施形態による情報通知システム１の処理フローを示す図である。情報通知システム１の動作について処理フローを追って説明する。
【００２９】
信号受信部１１は、施錠部３からの天気に関する情報の要求信号の有無の検出を行う（ステップＳ７１）。前述したように、玄関ドア６の施錠部３の所定範囲内に鍵２が存在し、施錠部３の鍵検出部３３が鍵２の登録を確認すると、施錠部３の信号出力部３４が天気に関する情報を要求する信号を出力する。信号受信部１１は、その施錠部３からの信号の検出を行う。信号受信部１１は、天気に関する情報の要求信号の検出がない場合（ステップＳ７１：Ｎｏ）、ステップＳ７１に戻り、引き続き天気に関する情報の要求信号を検出する処理を行う。なお、施錠部３は、玄関ドア６の所定範囲にある鍵２の存在を検知することから、施錠部３は鍵２に対するセンサの一種となる。そのため、図７において、施錠部３の代わりに要求信号は「センサ」から来るものとして記載している。
【００３０】
信号受信部１１が天気に関する情報の要求信号を検出すると（ステップＳ７１：Ｙｅｓ）、天気情報取得部１２は、設定情報１５を参照して、取得すべき天気に関する情報を求める（ステップＳ７２）。取得すべき天気に関する情報とは、天気を取得する地域のほか、天気を取得する時間帯等の情報であってもよい。さらに、設定情報１５には、鍵のシリアル番号に関連付けて取得すべき天気に関する情報が収められていてもよい。この場合、施錠部３の信号出力部３４は、鍵検出部３３が検出した鍵２のシリアル番号をエンコードし、エンコードしたシリアル番号を要求信号に重畳して出力するものとする。また、情報通知システム１の信号受信部１１は、受信した要求信号をデコードして重畳された鍵２のシリアル番号を取得し、取得したシリアル番号を天気情報取得部１２に通知するものとする。天気情報取得部１２は、記憶部１４の設定情報１５を参照して、取得したシリアル番号に紐付けられた取得すべき天気に関する情報を取得する。
【００３１】
天気情報取得部１２は、取得した天気に関する情報を用いて、天気情報サーバ９より必要となる天気情報を取得する（ステップＳ７３）。天気情報取得部１２は、取得した天気情報を続く処理のために記憶部１４の天気情報１７に保存する。
【００３２】
天気情報送信部１３は、天気情報取得部１２が取得した天気情報と、通知条件情報１６に設定された閾値との比較を行う（ステップＳ７５）。前述のように、通知条件情報１６には、降水確率の閾値、予想最高気温の閾値、予想最低気温の閾値等の取得した天気情報を評価するための情報が含まれる。天気情報送信部１３は、通知条件情報１６に含まれるこれら閾値と、天気情報取得部１２が取得した天気情報との比較を行う処理をする。
【００３３】
天気情報送信部１３は、ステップＳ７５での比較結果に基づき、玄関ドア６に設けられた通知装置４の動作を決定する（ステップＳ７６）。前述のように、通知条件情報１６には、比較結果に応じた通知装置４の動作に関する情報が含まれる。そこで、天気情報送信部１３は、通知条件情報１６を参照し、比較結果に基づいた玄関ドア６に設けられた通知装置４の動作を決定する。
【００３４】
天気情報送信部１３は、ステップＳ７６で決定した動作を通知装置４がするよう制御信号を通知装置４に対して送信する（ステップＳ７７）。その後、情報通知システム１の制御は、ステップＳ７１に戻る。
【００３５】
以上のようにして、情報通知システム１は、鍵２を所持し、玄関ドア６の付近にいる人（利用者）に対して、天気に関する情報を通知する。これにより、情報通知システム１は、玄関ドア６の付近にいる利用者に対して、出かける直前に、天気に関する注意喚起のための天気に関する情報の提供をすることができる。
【００３６】
情報通知システム１は、鍵２をもって、玄関ドア６付近に利用者がいると、自動的に最新の天気情報を取得することから、利用者は、手間なく、最新の天気に関する情報を得ることができる。
【００３７】
また、これにより、利用者は、得た情報から、移動手段・持ち物・服装を出かける前に変えることが可能となる。傘、靴、レインコートは通常、玄関あるいは玄関付近で保管される。この点からも、玄関付近にいる利用者は、最新の天気に関する情報に応じて、傘やレインコートの必要性を判断でき判断結果に応じて傘やレインコートを所持して出かけることができる。また、利用者は、最新の天気に関する情報に応じて、出かける前に天候に応じた靴の履き替えを行うことができる。
【００３８】
情報通知システム１が外部サーバから取得し提供する情報として、台風・竜巻・地震などの警報も含めてもよい。この場合、玄関付近にいる利用者は、最新の警報情報の確認も可能となる。この結果、利用者は危険の回避が可能となる。
【００３９】
一実施の形態として、天気に関する情報の要求信号は、玄関ドア６の施錠部３が無線通信により鍵２の存在を検出した結果に応じて出力するものとして説明した。これにより、利用者が玄関ドア６の家の内側付近に近づいた際に、利用者が玄関ドア６に何ら触れることなく天気に関する情報の提供を受けることができるようになる。さらには、施錠部３が鍵２に設定されたシリアル番号の検出もし、シリアル番号も情報通知システム１に通知する際、情報通知システム１が提供する天気に関する情報のパーソナル化も可能となることからも好ましい。しかし、これに限定されるものではない。施錠部３は、鍵２との無線通信をせずに、施錠部３に対する利用者の開錠・施錠動作を検出して、天気情報に関する要求信号を出力するようにしてもよい。
【００４０】
また、天気に関する情報の要求信号の出力は、施錠部３ではなく、玄関ドア６に対する利用者の操作、例えば、ドアノブやドアの開閉のためのハンドルに対する利用者の操作に応じて要求信号の出力が出力されるようしてもよい。この場合、ドアノブあるいはハンドルは、これらへの利用者の操作を検出するセンサを備えるようにする。そして、備えられたセンサがドアノブあるいはハンドルの操作を検出すると、センサが天気に関する情報の要求信号の出力を情報通知システム１に対して出力するようにしてもよい。この場合、図７に示す「センサ」は、ドアノブあるいはハンドルへの利用者の操作を検出して要求信号の出力を行う「センサ」となる。
【００４１】
玄関ドア６は、一般的に、玄関において、家の内部と家の外を区切る位置に設置されるドアのことを言う。しかし、情報通知システム１で利用される「玄関ドア」として、家の内部であって玄関エリアに入るためのドアとしてもよい。この場合、「玄関ドア」に設けられるドアノブやハンドルに対する利用者の操作に応じて要求信号の出力が出力されるようにするとよい。
【００４２】
通知装置４に設けられる通知部４２の一例としてＬＥＤを用いた説明をした。この場合、玄関ドア６の構成が容易になることから好ましいが、これに限定されるものではない。例えば、通知装置４の通知部として、表示装置であってもよく、ＬＥＤ等のランプと表示装置との組み合わせであってもよい。この場合、情報通知システム１の天気情報送信部１３は、天気情報取得部１２が取得した情報を含めて、通知装置４に制御信号を送信するようにしてもよい。また、天気情報送信部１３は、設定情報１５に別途設定される情報を参照し、天気情報取得部１２が取得した情報を、利用者にとって重要な情報のみに加工した情報も含めて制御信号として通知装置４に送信してもよい。
【００４３】
玄関ドア６に設置される通知装置４は、玄関ドア６上において、利用者の目につくところに設置することが好ましい。例えば、通知装置４は、施錠部３付近、あるいは、ドアノブやハンドル５付近とすることが好ましい。あるいは、施錠部３に対して通知装置４が一体となるよう通知装置４を設けてもよい。これは、利用者が玄関を出る際、施錠部３にて開錠・施錠のための操作をしたり、ドアノブやハンドル５を用いて玄関ドアの開け閉めの操作をしたりすることから、利用者はこれらの施錠部３、ドアノブやハンドル付近を操作時に見るからである。さらには、通知装置４は、玄関ドア６の家の内側に設けることが好ましい。これにより、利用者は家の外に出る前に天気に関する情報の提供を受けることができるようになる。
【００４４】
情報通知システム１は、利用者が所有するスマートフォン等の携帯機器に専用のアプリをインストールし、アプリに対して必要な設定を行って実現してもよい。この場合、情報通知システム１はＬＡＮ７を経由せずに、ＷＡＮ８経由で天気情報サーバ９から必要な天気情報を取得するようにしてもよい。
【００４５】
図８は、本発明の一実施形態による情報通知システム１の最小構成図を示す図である。情報通知システム１は、天気情報取得部１２と天気情報送信部１３を備える。
天気情報取得部１２は、玄関ドアに設けられたセンサからの信号の入力を受けることにより、天気情報を取得する。
天気情報送信部１３は、前記天気情報と通知のための通知条件との比較に基づきに、前記玄関ドアに設けられた通知装置の動作を決定し、前記通知装置に該動作をするよう制御信号を送信する。
【００４６】
なお、図５における各処理部の機能を実現するためのプログラムをコンピュータ読み取り可能な記録媒体に記録して、この記録媒体に記録されたプログラムをコンピュータシステムに読み込ませ、実行することにより情報通知のための処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４８】
１・・・情報通知システム
２・・・鍵
３・・・施錠部
４・・・通知装置
５・・・ハンドル（ドアノブ）
６・・・玄関ドア
９・・・天気情報サーバ
１１・・・信号受信部
１２・・・天気情報取得部
１３・・・天気情報送信部
１４・・・記憶部
１５・・・設定情報
１６・・・通知条件情報
１７・・・天気情報
【図１】
2020170890.tif 000003
【図２】
2020170890.tif 000004
【図３】
2020170890.tif 000005
【図４】
2020170890.tif 000006
【図５】
2020170890.tif 000007
【図６】
2020170890.tif 000008
【図７】
2020170890.tif 000009
【図８】
2020170890.tif 000010
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
玄関ドアの家の内側であって、前記玄関ドアに設けられた施錠部付近、あるいは、ドアノブやハンドル付近に設けられる発光または表示を伴う通知装置と、
前記玄関ドアに設けられたセンサからの信号の入力を受けることにより、天気情報を取得する天気情報取得部と、
前記天気情報と通知のための通知条件との比較に基づきに、前記通知装置の動作を決定し、前記通知装置に該動作をするよう制御信号を送信する天気情報送信部と
を備える情報通知システム。
【請求項２】
前記センサからの信号は、前記玄関ドアに設けられた前記施錠部が該玄関ドアに対応する鍵を検知したことにより出力する信号である
請求項１に記載の情報通知システム。
【請求項３】
前記センサからの信号は、前記玄関ドアに設けられた前記ドアノブまたは前記ハンドルに対する操作を検知するセンサが該操作の検知により出力する信号である
請求項１に記載の情報通知システム。
【請求項４】
前記通知装置はＬＥＤを備えであり、
前記天気情報送信部は、前記比較に基づき、前記ＬＥＤの点滅動作を決定し、該ＬＥＤに該点滅動作をするよう制御する信号を送信する
請求項１から請求項３のいずれか一項に記載の情報通知システム。
【請求項５】
前記情報通知システムは、
前記天気情報を取得する地域に関する情報を記憶する記憶部
をさらに備え、
前記天気情報取得部は、前記地域に関する情報を外部サーバより取得する
請求項１から請求項４のいずれか一項に記載の情報通知システム。
【請求項６】
前記通知装置が表示装置を備える場合、前記天気情報送信部は、前記通知装置に該動作をするよう制御信号として、該表示装置に表示する天気情報を含める
請求項１から請求項５のいずれか一項に記載の情報通知システム。
【請求項７】
玄関ドアに設けられたセンサからの信号の入力を受けることにより、天気情報を取得し、
前記天気情報と通知のための通知条件との比較に基づきに、前記玄関ドアの家の内側であって、前記玄関ドアに設けられた施錠部付近、あるいは、ドアノブやハンドル付近に設けられた発光または表示を伴う通知装置の動作を決定し、前記通知装置に該動作をするよう制御信号を送信する
情報通知方法。
【請求項８】
玄関ドアに設けられたセンサからの信号の入力を受けることにより、天気情報を取得し、
前記天気情報と通知のための通知条件との比較に基づきに、前記玄関ドアの家の内側であって、前記玄関ドアに設けられた施錠部付近、あるいは、ドアノブやハンドル付近に設けられた発光または表示を伴う通知装置の動作を決定し、前記通知装置に該動作をするよう制御信号を送信する
ことをコンピュータに実行させるための情報通知用コンピュータプログラム。
【手続補正２】
【補正対象書類名】明細書
【補正対象項目名】０００５
【補正方法】変更
【補正の内容】
【０００５】
本発明の第１の態様によれば、情報通知システムは、玄関ドアの家の内側であって、前記玄関ドアに設けられた施錠部付近、あるいは、ドアノブやハンドル付近に設けられる発光または表示を伴う通知装置と、前記玄関ドアに設けられたセンサからの信号の入力を受けることにより、天気情報を取得する天気情報取得部と、前記天気情報と通知のための通知条件との比較に基づきに、前記通知装置の動作を決定し、前記通知装置に該動作をするよう制御信号を送信する天気情報送信部とを備える、ことを特徴とする。
【手続補正３】
【補正対象書類名】明細書
【補正対象項目名】０００６
【補正方法】変更
【補正の内容】
【０００６】
本発明の第２の態様によれば、情報通知方法は、玄関ドアに設けられたセンサからの信号の入力を受けることにより、天気情報を取得し、前記天気情報と通知のための通知条件との比較に基づきに、前記玄関ドアの家の内側であって、前記玄関ドアに設けられた施錠部付近、あるいは、ドアノブやハンドル付近に設けられた発光または表示を伴う通知装置の動作を決定し、前記通知装置に該動作をするよう制御信号を送信する、ことを特徴とする。
【手続補正４】
【補正対象書類名】明細書
【補正対象項目名】０００７
【補正方法】変更
【補正の内容】
【０００７】
本発明の第３の態様によれば、玄関ドアに設けられたセンサからの信号の入力を受けることにより、天気情報を取得し、前記天気情報と通知のための通知条件との比較に基づきに、前記玄関ドアの家の内側であって、前記玄関ドアに設けられた施錠部付近、あるいは、ドアノブやハンドル付近に設けられた発光または表示を伴う通知装置の動作を決定し、前記通知装置に該動作をするよう制御信号を送信することをコンピュータに実行させる、ことを特徴とする。